(57)【特許請求の範囲】
【請求項１】
撮影光学系を有する筐体と、
前記撮影光学系が撮影した画像を表示する表示画面を有する表示手段と、
前記筐体の前面に設けられ、前記撮影光学系の光軸と平行する方向に延在する軸を中心にして前記表示手段を前記筐体に対して使用状態位置と非使用状態位置に回動させるヒンジ機構とを備え、
前記ヒンジ機構は、前記筐体の前面に配設されるベース部材と第１及び第２の軸部材とを有し、
前記ベース部材は、本体片部と該本体片部から垂直方向に形成された屈曲片部とから成り、
前記ベース部材の本体片部と前記筐体とは、前記第１の軸部材を介して回転可能に連結され、
前記ベース部材の屈曲片部と前記表示手段とは、前記第２の軸部材を介して回転可能に連結され、
前記第１の軸部材の回転中心軸と前記第２の軸部材の回転中心軸とは、互いに直交し、
前記第１の軸部材は円板部と該円板部の両面からそれぞれ突設された内部が中空の凸部を備え、該中空の凸部にはハーネスが前記光軸と平行する方向に延在する前記軸を通って配線され、
前記撮影光学系で撮影される被写体側を前記筐体の前方とした場合に、前記筐体は前方を向いた前面を有し、
前記非使用状態位置で、前記表示画面は前記筐体の前面と重ね合わされ、かつ、前記筐体の前方側から見て前記筐体の前面は前記表示手段および前記ヒンジ機構を包含する位置関係にあり、
前記筐体は前記前面と反対に位置する後面を有し、
前記表示画面は、前記使用状態位置では、前記筐体から突出し前記後面の後方に露出する
撮像装置。
【請求項２】
前記筐体の後面に前記撮影光学系で撮影される像を見るためのファインダを備える
請求項１記載の撮像装置。
【発明の詳細な説明】
【０００１】
【発明の属する技術分野】
本発明は、撮影光学系で撮影された画像を表示する液晶ディスプレイユニットを備えたカメラに関し、さらに詳細には、可動式の液晶ディスプレイユニットを有するハンディタイプのビデオカメラやデジタルスチルカメラ等の撮像装置に関する。
【０００２】
【従来の技術】
従来、例えばハンディタイプのビデオカメラは、ほぼ直方体形状を呈するカメラ本体と、このカメラ本体の前端部に装着した撮影レンズ部と、カメラ本体の後端部に装着したビューファインダと、撮影映像及び再生映像を表示する液晶ディスプレイユニットと、カメラ本体に内蔵した記録再生部等を備えている。そして、このようなビデオカメラの液晶ディスプレイユニットには、固定式と可動式がある。
固定式は、カメラ本体と液晶ディスプレイユニットが一体化されたものであり、また、可動式は、カメラ本体の右または左側の側面に液晶ディスプレイユニットを支持機構により開閉可能に設けたものである。この可動式の場合、液晶ディスプレイユニットは、その表示画面を内側にしてカメラ本体の右または左側面に重ね合わさるように操作することでカメラ本体の側面部分に収容され、また、支持機構を支点にして液晶ディスプレイユニットをカメラ本体の側面に対して直交する状態に開くことで、液晶ディスプレイユニットの表示画面を撮影者に向けることができるようになっている。
【０００３】
【発明が解決しようとする課題】
上記固定式のビデオカメラの場合、液晶ディスプレイユニットを動かす必要がないため、液晶ディスプレイユニットを小型化することができる。しかしながら、液晶ディスプレイユニットが固定されているため、液晶ディスプレイユニットの表示画面を見ながら撮影する際の自由度が大きく制限されてしまう。しかも、液晶ディスプレイユニットの表示画面は常に露出されているため、表示画面を傷などから保護するためのカバー等が必要になる。
また、上記可動式のビデオカメラでは、液晶ディスプレイユニットがカメラ本体の一方の側面箇所に開閉可能に設けられ、しかも、カメラ本体の前後方向の寸法が大きい。したがって、カメラ本体を右手または左手で把持して被写体を撮影するためには、カメラ本体にグリップバンドを設け、このグリップバンドと他方の側面との間に手を差し入れることでカメラ本体の側面を手で把持する構成とする必要があり、カメラ本体のデザインが限定される不具合がある。
また、液晶ディスプレイユニットがカメラ本体の横側面箇所に設けられるので、ビデオカメラの操作スイッチ類が設置される箇所がカメラ本体の上面部や後面部の面積が狭い箇所に限定されてしまう。このため、操作スイッチ類を設置するための自由度が失われるという問題がある。
【０００４】
本発明は上記のような問題を解決するためになされたもので、その目的は、グリップバンドを要することなくカメラ本体を把持し易いデザインにすることができるとともに、操作スイッチ類を設置するための自由度を増大できる撮像装置を提供することにある。
【０００５】
【課題を解決するための手段】
上記目的を達成するために本発明は、撮影光学系を有する筐体と、前記撮影光学系が撮影した画像を表示する表示画面を有する表示手段と、前記筐体の前面に設けられ、前記撮影光学系の光軸と平行する方向に延在する軸を中心にして前記表示手段を前記筐体に対して使用状態位置と非使用状態位置に回動させるヒンジ機構とを備え、前記ヒンジ機構は、前記筐体の前面に配設されるベース部材と第１及び第２の軸部材とを有し、前記ベース部材は、本体片部と該本体片部から垂直方向に形成された屈曲片部とから成り、前記ベース部材の本体片部と前記筐体とは、前記第１の軸部材を介して回転可能に連結され、前記ベース部材の屈曲片部と前記表示手段とは、前記第２の軸部材を介して回転可能に連結され、前記第１の軸部材の回転中心軸と前記第２の軸部材の回転中心軸とは、互いに直交し、前記第１の軸部材は円板部と該円板部の両面からそれぞれ突設された内部が中空の凸部を備え、該中空の凸部にはハーネスが前記光軸と平行する方向に延在する前記軸を通って配線され、前記撮影光学系で撮影される被写体側を前記筐体の前方とした場合に、前記筐体は前方を向いた前面を有し、前記非使用状態位置で、前記表示画面は前記筐体の前面と重ね合わされ、かつ、前記筐体の前方側から見て前記筐体の前面は前記表示手段および前記ヒンジ機構を包含する位置関係にあり、前記筐体は前記前面と反対に位置する後面を有し、前記表示画面は、前記使用状態位置では、前記筐体から突出し前記後面の後方に露出する撮像装置である。
【０００６】
そのため、本発明の撮像装置によれば、表示手段はヒンジ機構により撮影光学系の光軸と平行する方向に延在する軸を中心にして使用状態位置と非使用状態位置とに揺動される。非使用状態位置で、表示画面は筐体の前面と重ね合わされ、かつ、筐体の前方側から見て筐体の前面は表示手段およびヒンジ機構を包含する。
【０００７】
【発明の実施の形態】
以下、本発明をハンディタイプのビデオカメラに適用した実施の形態について図面を参照して説明する。
図１は液晶ディスプレイユニットを非使用位置とした状態でビデオカメラを前方から見た斜視図、図２は液晶ディスプレイユニットを非使用位置とした状態でビデオカメラを後方から見た斜視図、図３は液晶ディスプレイユニットを使用位置とした状態でビデオカメラを前方から見た斜視図、図４は液晶ディスプレイユニットを使用位置とした状態でビデオカメラを後方から見た斜視図、図５はヒンジ機構の説明図を示す。
【０００８】
実施の形態に係るビデオカメラ１２（撮像装置）は筐体１４を備え、筐体１４には撮影光学系１６、ファインダ１８、液晶ディスプレイユニット２０などが設けられ、筐体１４内には図示省略のビデオテープを駆動するメカデッキ、電子回路部などが設けられている。また、筐体１４と液晶ディスプレイユニット２０はヒンジ機構２２により連結されている。
前記電子回路部は、前記撮影光学系１６に組み込まれたＣＣＤなどの撮像素子から得られるビデオ信号の処理や、メカデッキの駆動制御、ユーザが行なう操作釦の操作に応じた様々な機能を実行するように構成されている。
【０００９】
前記筐体１４は上下方向に長いほぼ直方体形状を呈しており、筐体１４は前方を向いた平坦な前面１４０２、後方を向いた後面１４０４、側方を向いた側面１４０６などを備え、前面１４０２は平坦な面に形成されている。
前記撮影光学系１６は前記筐体１４の上部の一側に配設され、撮影光学系１６の前後部はそれぞれ筐体１４の前面１４０２、後面１４０４に臨んでいる。
前記ファインダ１８は、撮影光学系１６で撮影される像を視認するもので、筐体１４の後面１４０４で撮影光学系１６の側方にファインダ覗き窓１８０２が配設されている。
【００１０】
前記液晶ディスプレイユニット２０は、図１および図４に示すように、液晶パネルやバックライトなどで構成された液晶ディスプレイ２００２と、この液晶ディスプレイ２００２を収容するケース２００４を備えている。
前記液晶ディスプレイユニット２０は偏平な直方体形状(偏平な板状)を呈し、液晶ディスプレイユニット２０の一方の面に液晶表示面２０１２が形成され、他方の面はケース２００２で覆われた平坦な背面２０１４として形成されている。
前記液晶ディスプレイ２００２と前記電子回路部は複数の電線からなるハーネスで接続され、液晶表示面２０１２において、撮影光学系１６で撮影された像の表示や記録画像の再生表示などが行われるように構成されている。
【００１１】
前記液晶ディスプレイユニット２０は前記ヒンジ機構２２により、筐体１４の前後方向に延在する第１の仮想中心軸２４(図１参照)を中心として揺動可能に支持されている。
前記ヒンジ機構２２は、液晶ディスプレイユニット２０を、図１に示す液晶ディスプレイユニット２０の非使用位置（非使用状態位置）と、図３および図４に示す液晶ディスプレイユニット２０の使用位置（使用状態位置）との間で揺動可能に支持し、かつ、液晶ディスプレイユニット２０が非使用位置に位置した状態および使用位置に位置した状態をそれぞれ保持するように構成されている。
そして、前記液晶ディスプレイユニット２０の非使用位置において、前記液晶表示面２０１２(厳密には液晶表示面２０１の周囲の枠状のケース部分２００４Ａ)が筐体１４の前面１４０２に合わされ、前記背面２０１４があたかも筐体１４の前面１４０２の一部をなすように構成されている。
また、前記液晶ディスプレイユニット２０の使用位置において、筐体１４の側面１４０６から液晶表示面２０１２が筐体１４の後方に臨むように構成されている。
さらに、本実施の形態では、前記ヒンジ機構２２に、前記第１の仮想中心軸２４と直交する方向に延在する第２の仮想中心軸２６(図５参照)の回りに前記液晶ディスプレイユニット２０を揺動可能に支持する回転機構２８(図５参照)が設けられている。
【００１２】
次に、前記ヒンジ機構２２および回転機構２８についてより詳細に説明する。
図５に示すように、前記ヒンジ機構２２は、筐体１４の前面１４０２に配設されるベース部材３２、軸部材３４、フリクションばね３６、筐体１４の前面１４０２の後面に配設されるベース板３８、ヒンジプレート４０などを備える。また、筐体１４の前面１４０２には、軸部材３４およびフリクションばね３６の外径より大きい径の円形穴１４０４が形成されている。
前記ベース部材３２は本体片部３２０２と屈曲片部３２０４とからＬ字形に形成され、本体片部３２０２の中央には矩形穴３２０６が形成され、前記液晶ディスプレイユニット２０は、屈曲片部３２０４に回転機構２８を介して連結されている。
前記軸部材３４は、円板部３４０２と、円板部３４０２の両面からそれぞれ突設された矩形状で内部が中空の凸部３４０４を備え、円板部の外周部で１８０度の間隔をおいた箇所にそれぞれ欠部３４０６が形成されている。軸部材３４の中空の凸部３４０４には、ハーネスが第１の仮想中心軸２４を通って配線されるように構成されている。
前記フリクションばね３６は環板状を呈し、その外周部には前記欠部３４０６に係脱可能な爪３６０２が形成されている。また、フリクションばね３６には、ベース板３８側へ突出するクリックストップ用の一対の突部３６０４が形成されている。
【００１３】
前記ベース板３８には、前記軸部材３４の凸部３４０４がその内部で回転できる大きさの円形の孔３８０２が形成され、さらに、ベース板３８の左右両端には液晶ディスプレイユニット２０を、図１に示す液晶ディスプレイユニット２０の非使用位置と、図３および図４に示す液晶ディスプレイユニット２０の使用位置に位置決めするストッパ３８０４が形成されている。また、ベース板３８の円形孔３８０２の周縁箇所には、前記フリクションばね３６のクリックストップ用突部３６０４が弾発的に係脱される４個のクリックストップ孔３８０６が形成されている。
前記ヒンジプレート４０には前記軸部材３４の凸部３４０４が嵌め込まれる矩形状の孔４００２が形成され、さらに、ヒンジプレート４０の周縁箇所には、前記ストッパ３８０４に、図１に示す液晶ディスプレイユニット２０の非使用位置と、図３および図４に示す液晶ディスプレイユニット２０の使用位置で係止されるストッパ４００４が９０度の角度範囲に延在して形成されている。
【００１４】
上述した各部品を組み立ててヒンジ機構２２を構成する場合は、まず、ベース板３８をタッピングネジ５０により筐体１４の前面１４０２の後面に締め付け固定する。次いで、ベース部材３２の矩形穴３２０６を軸部材３４の凸部３４０４に係合した後、タッピングネジ５０によりベース部材３２を軸部材３４に締め付け固定する。
次に、軸部材３４の後方からフリクションばね３６を所定の状態に係合した後、軸部材３４を筐体１４の前面１４０２側から円形穴１４０４に差し込み、さらに、軸部材３４の凸部３４０４をベース板３８の円形孔３８０２係合する。この状態で、ベース板３８の背面からヒンジプレート４０を押し当て、このヒンジプレート４０をタッピングネジ５４により軸部材３４の凸部３４０４先端面に締め付け固定する。これにより、ヒンジ機構２２は、第１の仮想中心軸２６を中心にして液晶ディスプレイユニット２０を、図１に示す液晶ディスプレイユニット２０の非使用位置と、図３および図４に示す液晶ディスプレイユニット２０の使用位置との間で揺動可能に支持できる。
【００１５】
次に、回転機構２８について詳細に説明する。
図６はベース部材３２の要部を拡大した斜視図、図７は回転機構２８の斜視図、図８はベース部材３２に回転機構２８が連結された状態を示す図であり、図８（Ａ）は回転機構２８を前方の下からから見た状態を示す斜視図、図８（Ｂ）は回転機構２８を後方の下から見た状態を示す斜視図である。前記回転機構２８は、図５乃至図８に示すように、軸部材５６、クリックプレート５８、フリクションバネ６０および支持部材６２などを備える。
前記軸部材５６は、液晶ディスプレイユニット２０を第２の仮想中心軸２６を中心にして前記ベース部材３２の屈曲片部３２０４に回転可能に支持するためのもので、ハーネスが挿通し得るように円筒状をなし、この軸部材５６の一端には鍔部５６０２が形成されている。このようにした軸部材５６は、前記ベース部材３２の屈曲片部３２０４に形成した円形の軸穴３２０８に屈曲片部３２０４の上面側から回転可能に係合され、鍔部５６０２によって挿入方向に抜け出ないようになっている。
【００１６】
前記クリックプレート５８は、図４に示すように、液晶ディスプレイユニット２０の液晶表示面２０１２が筐体１４の後方に向けられる通常の撮影表示位置と、液晶ディスプレイユニット２０が第２の仮想中心軸２６を中心にして前記通常の撮影表示位置から１８０度回転された対面撮影表示位置（図４に示す液晶ディスプレイユニット２０の液晶表示面２０１２が筐体１４の前方に向けられる撮影位置）に位置決めするためのもので、図７に示すように、前記ベース部材３２の屈曲片部３２０４の下面に面接触状態に保持されている。
また、このクリックプレート５８は、その中央箇所に前記軸部材５６が挿通される円形穴５８０２を有し、さらに、クリックプレート５８の両端箇所には係合孔５８０４がそれぞれ形成されている。この係合孔５８０４は前記ベース部材３２の屈曲片部３２０４の下面に形成したダボ３２１０に係合され、これにより、クリックプレート５８が屈曲片部３２０４の下面に対して第２の仮想中心軸２６の回りに回転しないようになっている。また、クリックプレート５８の円形穴５８０２の周縁箇所には、円周方向に１８０度の角度差をおいてクリックストップ用の係合孔５８０６が形成されている。
【００１７】
前記フリクションバネ６０は、前記クリックプレート５８と前記支持部材６２間に介在されてフリクション機能を発揮させるもので、環板状を呈し、その外周部には円周方向に１８０度の角度差をおいて爪６００２が形成されている。また、フリクションバネ６０には、前記クリックプレート５８のクリックストップ用係合孔５８０６に係脱してクリック機能を発揮させる凸部６００４が形成されている。
前記支持部材６２は、液晶ディスプレイユニット２０を前記軸部材５６に連結するためのもので、中央箇所に前記軸部材５６の他端が嵌合される円形穴６２０２を有する矩形状の板材から構成され、この支持部材６２の円形穴６２０２に前記軸部材５６の他端を嵌合し、その突出先端をかしめ前記鍔部５６０２を形成することにより、支持部材６２を軸部材５６に連結する。
また、支持部材６２の両端には一対のねじ挿通穴６２０６が設けられ、タッピングネジ６４が各ねじ挿通穴６２０６を挿通して液晶ディスプレイユニット２０の一側端面に螺合することによって支持部材６２は液晶ディスプレイユニット２０に固定される。
これにより、液晶ディスプレイユニット２０は、ヒンジ機構２２のベース部材３２に対して第２の仮想中心軸２６を中心にして揺動可能に支持する。また、支持部材５６には、前記フリクションバネ６０をアーチ状態に湾曲させた状態で爪６００２が係止される係合部６２０４が形成されている。
なお、前記軸部材５６の他端に支持部材６２をかしめることにより連結した状態では、クリックプレート５８は、これと支持部材６２間に介在されたフリクションバネ６０のばね圧により、ベース部材３２の屈曲片部３２０４の下面に押圧されて保持される。
また、図１、図３及び図５において、符号６６はヒンジ機構２２のベース部材３２および回転機構２８を覆うカバーを示す。
【００１８】
上記のように構成されたビデオカメラにおいて、液晶ディスプレイユニット２０の液晶ディスプレイ２００２を見ながら撮影を行う場合は、第１の仮想中心軸２６を中心にして液晶ディスプレイユニット２０を図１の矢印Ａ方向に９０度回転して、図１に示す液晶ディスプレイユニット２０の非使用位置から図３および図４に示す液晶ディスプレイユニット２０の使用位置に回動する。このとき、ヒンジ機構２２のフリクションばね３６のクリックストップ用突部３６０４がクリックストップ孔３８０６に弾発的に係合されるため、液晶ディスプレイユニット２０は図３および図４に示す液晶ディスプレイユニット２０の使用位置に安定して保持される。
この場合、筐体１４を側面１４０７の方向から手で容易に把持することができる。
【００１９】
また、液晶ディスプレイユニット２０の液晶表示面２０１２を見ながら対面撮影する場合は、図３および図４に示す液晶ディスプレイユニット２０の使用位置ある液晶ディスプレイユニット２０を第２の仮想中心軸２６を中心にして図３の矢印Ｂ方向に１８０度回転する。これにより、液晶ディスプレイユニット２０の液晶ディスプレイ２００２は、図３および図４に示す場合と逆に筐体１４の前方に向けられる。したがって、ビデオカメラ１２による対面撮影が可能になる。この時、フリクションバネ６０の凸部６００４はクリックプレート５８のクリックストップ用係合孔５８０６に係合されるため、液晶ディスプレイユニット２０を対面撮影表示位置に安定して保持できる。
この場合、筐体１４を側面１４０７の方向から手で容易に把持することができる。
【００２０】
また、ファインダ１８を覗きながら撮影する場合は、図３および図４に示す液晶ディスプレイユニット２０の使用位置ある液晶ディスプレイユニット２０を第１の仮想中心軸２６を中心にして、図３の矢印Ｃ方向に９０度回転し、図１に示す液晶ディスプレイユニット２０の非使用位置使用に回動する。この場合、液晶ディスプレイユニット２０は筐体１４の前面１４０２に平坦状に重ね合わされるため、液晶ディスプレイユニット２０を筐体１４と一緒に筐体１４の側面１４０６の方向から手で把持することができる。
【００２１】
上記のような本実施の形態によれば、次のような作用効果を奏することができる。液晶ディスプレイユニット２０を見ながら撮影する場合でも、ファインダ１８を覗きながら撮影する場合でも、筐体１４をその側面１４０６または側面１４０７の方向から手で容易に把持することができる。したがって、従来と違ってグリップバンドを使用することなくカメラを把持し易いデザインにすることができる。
液晶ディスプレイユニット２０が非使用時には、筐体１４の前面１４０２に収容されるので、後面１４０４のスペースを広く確保することができ、操作スイッチ類を設置する自由度を増大することができる。
また、液晶ディスプレイユニット２０に接続された配線のハーネスは第１の仮想中心軸２４および第２の仮想中心軸２６を通って配設されているため、液晶ディスプレイユニット２０が第１の仮想中心軸２４および第２の仮想中心軸２６回りに揺動される際に必要となるハーネスのゆとり分が最小限で済むため、ヒンジ機構２２のデザインの自由度を大きくすることができる。
【００２２】
本実施の形態では、ビデオカメラについて説明したが、本発明はこれに限定されるものではなく例えばデジタルスチルカメラに適用できることはもちろんである。
【００２３】
【発明の効果】
以上詳述したように、本発明の撮像装置によれば、液晶ディスプレイユニットはヒンジ機構により第１の仮想中心軸を中心として使用位置と非使用位置とに揺動されそれぞれの位置で保持される。液晶ディスプレイユニットの非使用位置においては、背面が筐体の前面の一部をなし、液晶ディスプレイユニットの使用位置においては、筐体の左右方向における筐体の側方から液晶表示面が筐体の後方に臨む。したがって、筐体をその側面の方向から手で容易に把持することができ、従来と違ってグリップバンドがなくても把持し易いデザインにすることができる。液晶ディスプレイユニットが非使用時には、筐体の前面に収容されるので、後面に広いスペースを確保することができ、操作スイッチ類を設置する自由度を増大することができる。
【図面の簡単な説明】
【図１】液晶ディスプレイユニットを非使用位置とした状態でビデオカメラを前方から見た斜視図である。
【図２】液晶ディスプレイユニットを非使用位置とした状態でビデオカメラを後方から見た斜視図である。
【図３】液晶ディスプレイユニットを使用位置とした状態でビデオカメラを前方から見た斜視図である。
【図４】液晶ディスプレイユニットを使用位置とした状態でビデオカメラを後方から見た斜視図である。
【図５】ヒンジ機構の説明図である。
【図６】ベース部材の要部を拡大した斜視図である。
【図７】回転機構の斜視図である。
【図８】ベース部材に回転機構が連結された状態を示す図であり、図８（Ａ）は回転機構を前方の下からから見た状態を示す斜視図、図８（Ｂ）は回転機構を後方の下から見た状態を示す斜視図である。
【符号の説明】
１２……ビデオカメラ、１４……筐体、１６……撮影光学系、２０……液晶ディスプレイユニット、２２……ヒンジ機構、２４……第１の仮想中心軸、２６……第２の仮想中心軸。
【図１】
0004512959.tif 000002
【図２】
0004512959.tif 000003
【図３】
0004512959.tif 000004
【図４】
0004512959.tif 000005
【図５】
0004512959.tif 000006
【図６】
0004512959.tif 000007
【図７】
0004512959.tif 000008
【図８】
0004512959.tif 000009